(57)【要約】｛課題｝標準的なフイルターエレメントの中で、外周部に比較的大きなゴミやカスを分離出来るフイルターエレメントからゴミやカスを剥離した後で、これを液分の少ない廃棄物として処理出来、更にゴミやカスの絞った液も循環ろ過出来る一体型のフイルターハウジングをコンパクトで安価な装置として開発。｛解決手段｝標準的なフイルターエレメント外周部とケース内径の間に弾力性のあるスプリングを片ずりで設ける事で、濾過液のポンプによる脈動を利用して、液の外周に当たる位置の変化やスプリング内面による接触により剥離し、逆洗時にも、ゴミやカスを下方に設けたバッグフイルターエレメント内にエアーの圧力で圧縮固化出来るカスパック用フイルターハウジング装置。【選択図】　　図１
2004050166.tif 000002
【特許請求の範囲】
【請求項１】
フイルターの表面で防汚出来るフイルターの、表面付着のゴミやカスを、濾過液出口側から内部に溜まった濾液ごとエアーで排出する逆洗時、濾過液投入側を閉じたフイルターハウジング内のゴミやカスを蓄積可能な底部又はその外部に、袋状の濾過可能なフイルターエレメントを設けることで、ここで排出される濾過液やエアーを外部に逃がす為のバルブを開放すれば、エアーの圧力でゴミやカスを上記フイルターエレメント内にパック状に固化出来るカスパック用フイルターハウジング装置。
【請求項２】
上記フイルターハウジング内面とフイルター表面に対して、ポンプ等で発生する供給液の脈動現象でフイルター表面に付着したゴミやカスを上下左右に動く事で剥離する弾力性のあるすスプリングを設けたカスパック用フイルターハウジング装置。
【発明の詳細な説明】
【０００１】
｛発明の属する技術分野｝
本発明は、部品等を洗浄する洗浄機や加工機械に付設し、その使用後の液を浄化する為のフイルターハウジング（ケース）に関するもので、発生する汚泥の内、内部に設けたフイルターエレメントで比較的大きなゴミやカスをその表面で分離し、その表面に付着したゴミやカスを、逆洗時にフイルターハウジング内の出口側からエアーを投入する事で、内部の液とエアーとでゴミやカスを剥離し、その底部や下部に設けた袋状の布で出来たフイルターエレメントの中にゴミやカスのみを固化して液分は、再度濾過して排出する事で、フイルターエレメントの寿命延長とゴミやカスの分離破棄を容易にする装置を提供せんとするものである。
【０００２】
｛従来の技術｝
従来、フイルター方式で液の濾過を行う装置は、市販のフイルターエレメントの場合、形状や材質、濾過精度、サイズにより標準的カートリッジ形状も決まって来る。
【０００３】
その中で、フイルターの表面に比較的大きなゴミやカスの付着の起こるセラミックフイルターや表面を防汚処理した長繊維布で覆ったフイルターエレメント等は、逆洗により洗浄出来るが、逆洗後のゴミやカスと液との分離に問題がある。
【０００４】
また、布や長繊維布を袋にした中に濾液を一次的に投入して濾過するバックフイルターの呼称の方式も有るが、この方式の場合、濾過精度が布や長繊維布の目地の穴の大きさで決まり、あまり微細だと濾過そのものが困難になるので、ゴミやカスの比較的荒いものには、適しているが、微細なものには適さない欠点がある。
【０００５】
｛発明が解決しようとする課題｝
本発明は、上記の課題を解決する為になされたもので、濾過そのものは、従来式のフイルターで微細な濾過は、セラミックフイルター等で行い、その表面に付着したゴミやカスを外周に設けた弾力性のあるスプリングにより、液の脈動現象や流動液がスプリングに不均等にあたることでバネ線の移動や液の変動により、フイルター表面にあたる位置の変化によりゴミやカスの付着防止と剥離を行い、発生するゴミやカスは、フイルターハウジング下方に送り出したり、そのまた下方に設けた布や長繊維布で作られた袋状のフイルターエレメント（バッグフイルターエレメント）の中に蓄える。
【０００６】
又、逆洗時フイルターハウジングの入口、出口をバルブで止めて、出口側からエアーを投入する事で、エアーと内部の濾過液とによりフイルターエレメントの内部から液を噴出する事で、表面のゴミやカスを剥離して下方に設けたバックフイルターエレメントに投入され、これで液のみを濾過し外部に排出すれば、バックフイルターエレメント内のゴミやカスは、エアーの圧力で濃縮固化出来、さらに濾過後の液も再濾過することも可能とする自動的に濾過・逆洗・ゴミ、カス分離圧縮固化・排出液の再濾過をサイクル化出来るカスパック用フイルターハウジング装置。
【０００７】
｛問題点を解決するための手段｝
上記の目的を達成するために、本発明は、フイルターエレメントの外周部に近接する所に弾力性のあるスプリングを設けたフイルターエレメント収納部を持ったフイルターハウジングと、その底部又は下方に設けたケースの中に布や長繊維布で出来た袋状のバッグフイルターを備えた収納部から形成された二層構造で成り立っている。
【０００８】又、フイルターエレメントの脱着、バッグフイルターエレメントの脱着の容易化のために、フイルターハウジングが上下に分離できるカスパック用フイルターハウジング装置の構造になっている。
【０００９】
｛発明の実施の形態｝
従って、本カスパック用フイルターハウジング装置に濾液を通す事により、濾液内のゴミやカスは、セラミックフイルターエレメントや標準的フイルターエレメント表面に防汚処理した長繊維布で一次濾過する防汚フイルターエレメント等により分離除去して下方のバックフイルターエレメントに蓄積する。
【００１０】
一定のゴミやカスがフイルターエレメント表面に付着したときには、入口、出口のバルブを閉めて、出口側に設けたエアーの投入口よりエアーを流入してフイルターエレメントの内側よりろ過液とエアーをその表面側に噴出する事でゴミやカスを剥離する逆洗により、バッグフイルターエレメント内にゴミやカスを濃縮し固化すると共に、排出されるろ過液は、フイルターエレメントで再ろ過も可能な自動化されたコンパクトな装置を提供出来る特徴を持っている。
【００１１】
｛実施例｝
以下に本発明の一実施例を図面と共に説明する。
【００１２】
図１は、本装置の一部破断側面図を、図２はそのＡ−Ａ断面平面図を示し、図３は装置の別例一部破断側面図を示す。
【００１３】
図１に示すように、本装置は、セラミックフイルター等のフイルターエレメント使用の濾過装置で、汚泥混入液中の汚泥をその表面部で除去して、分離出来る防汚分離型のフイルターエレメントに関するもので、分離したゴミやカスを袋状の長繊維布等で出来たバッグフイルターエレメントの中に収容して、この中のゴミやカスをエアーの圧力で圧縮固化する安価でコンパクトな装置を提供するものである。
【００１４】
図１の上キャップ板１の下方に上Ｏリング２６を介して耐熱強化ガラスやステンレスの外ケース管２７が取り付けられ、その下端には、下Ｏリング３２を介して下台３３が設けられており、さらにこの下方には、バッグフイルターケース用Ｏリング３５を介してバッグフイルター用ケース１０が、フイルターケース取付ボルト９により下台３３に固着されている。
【００１５】
上キヤップ板１には、上片端に液投入用の投入口３に投入口バルブ２が取り付けられており、液は、ここより外ケース管２６に流入出来るようになっており、もう一方の上片端には、ろ過後の液の排出用の排出口２３が設けられ、その出口部にエアーを投入出来るエアーバルブ２２、さらにその先には、出口バルブ２４が取り付けられている。
【００１６】
排出口２３は、上キャップ板１の中心穴に通じており、フイルターエレメントの中空穴から排出されるろ過後液が、排出口２３を通って排出できる。
【００１７】
上キャップ板１の下側には、Ｖ字形のリング状の突起部であるフイルター上押え部４が形成されており、中に設置されるフイルターエレメント２８の上端部を押さえ、もう片端に設けられているフイルター下押え６とにより両端部をフイルターエレメント２８の外側よりフイルターエレメント中心穴２９に液が漏れないようになっている。
【００１８】
上キヤップ板１の中心穴には、フイルター中心穴２９及びフイルター下押え６の中心に設けられたネジに対して連結用ボルト２５がネジ込まれており、その外周にフイルター中心穴２９に勘合する寸法の中心出し用Ｖ型板３０が、フイルター下押え６の充分な深さを有する中心穴に差し込んで、連結ボルト２９との間でフイルターエレメント２８の中心位置が出るようになっている。
【００１９】
下台３３の上端中心部には、テーパー部の有る下台中心逃し穴３４が設けられており、その上方には、下台取付板８が下台取付固定ボルト７により下台３３に固着され、その下方には、中心部にネジが切られており、それに外ネジ付ニップル３６が取り付けられている。
【００２０】
下台取付板８の中心には、連結ボルト２５が勘合出来るように、ネジが切られており、そのまわりには、多数のゴミやカスの通過できる逃がし穴が明けられている。
【００２１】
この為、下台取付板８の中心部ネジとフイルター下押え６の中心ネジとを、連結用ボルト２５でダブルロッキングすることで中心位置が固定出来、その上方に設けた引上ナットパッキン２１を介して引上ナット２０に勘合して、連結用ボルト２５を締め付けれる為、外ケース管２７が上キャップ板１と下台３３との間で固定する事が出来る。
【おお２２】
図２に示すように、連結用ボルト２５の外径に接する状態で、フイルター下押え６のの中心に設けられた充分な深さを有するＶ型板取付案内穴３１に差し込まれた中心出し用Ｖ型板３０により、フイルターエレメント２８の中心穴であるフイルター中心穴２９によりフイルターエレメント２８の位置が出るようになっている。
【００２３】
又、フイルターエレメント２８の外側から僅かに離れた位置に、上キャップ板１の下面に設けられた取り付け穴に、濾液の供給時、ポンプ等の脈動により上下に動きの出来る弾性の有る遥動スプリング５が吊り下げてあり、これは下台取付板８の僅かに上方に長さを有する事で、ほんの僅かな液の変動でもその位置が変化するする事で、この遥動スプリング５のスプリング線の間を流れる濾液の強弱・位置が変化したり、大きな脈動発生時には、フイルターエレメント２８の外周に直接当たって表面をこする事で、その表面に付着したゴミやカスをこすり取る事が出来る構造である。
【００２４】
下台３３の下方には、バッグフイルター用ケース１０がフイルターケース取付ボルト９により固定されており、この下方部には、ここから出てくる濾液が排出出来るように排液バルブ３７が設けられ、このバルブを自由に開閉出来るようになっている。
【００２５】
バッグフイルター用ケース１０の内部には、底部に液貯留室１３を設ける為に、アミ板１４が設置されており、この上方に、長繊維布等で作られた袋状のバッグフイルターエレメント１２が下台３３の下面に設けられた外ネジ付ニップル３６に、袋の入り口を縛り付けて吊り下げるように設置できる。
【００２６】
このバッグフイルター用ケース１０のかわりに、図３のように外ケース管２７と下台３３とで形成される下台中心逃し穴３４の中にバッグフイルターエレメント１２の入り口外周を下台取付板８と下台３３との間に挟み込んで、下台取付板固定ボルト７で吊り下げる事で使用する方法の別例も有る。
【００２７】
従って、図１、及び図３に示すように投入口バルブ２から濾過前液を投入して、投入口３を通ってフイルターエレメント２８の外周部と外ケース管２７の内側で形成される隙間とそこに取り付けられた遥動スプリング５の間を通って濾液は、フイルターエレメント２８を通過して、フイルター中心穴２９に濾過後液として、出てくる。
【００２８】
この濾過後液は、連結用ボルト２５と中心出し用Ｖ型板３０の隙間を通って排出口２３より出口バルブ２４を通って外部に排出される。
【００２９】
フイルターエレメント２８の外側より濾過できない比較的大きなゴミやカスは、その表面に積層されたり、下方に降下するが、遥動スプリング５の動きにより、下方に落下が促進され、図１・図３共に下台３３で形成される下台中心逃し穴３４を通じて、バッグフイルターエレメント１２の底部にゴミカス１１として堆積される。
【００２９】
これを使用する場合は、排液バルブ３７及びエアー用バルブ２２を閉めて、投入口バルブ２より濾過前液を投入して、出口バルブ２４より排出できる自動サイクル流動システムとなっている。
【００３０】
これは、適時にフイルターエレメント２８の外周にゴミやカスが付着する時間を見て逆洗を行う為に、濾過前液の投入を止めて、投入口バルブ２を閉じて、出口バルブ２４も同時に閉じ、排液バルブ３７は、開放にする。
【００３１】
エアー用バルブ２２よりワーを投入すると、フイルターエレメント２８のフイルター中心穴２９やエアー用バルブ２２と上キヤップ板１との間に溜まった濾過後液やその間に設ける一次貯留だまりの濾過後液を、エアーの圧力で液をフイルター中心穴２９より外周部に向かって逆流する事で表面に付着したゴミやカスを剥離し、さらにその下方に設けたバッグフイルターエレメント１２内に押し込められる。
【００３２】
バッグフイルターエレメント１２は、形成される長繊維布の目地の隙間により、ゴミやカスの中に含まれる液は、エアーの圧縮力により濾過され、排液バルブ３７より排出され、バッグフイルターエレメント１２の底部に圧縮されたゴミやカスとして収納できる。
【００３３】
このカスパック用フイルターハウジングのバッグフイルターエレメント１２の交換をする場合は、取付ボルト９を外し、図１の仕様の場合は、外ネジ付ニップル３６に縛り付けられたエレメントを交換する。
【００３４】
フイルターエレメント２８を交換する場合は、引上ナット２０をゆるめて外ケース管２７と上キャップ板１を分離する事で交換出来ると共に、図３の場合は、下台取付板固定ボルト７を外す事で、下台３３内に収納されたバッグフイルターエレメント１２の脱着ができる。
【００３５】
この様な構造であるから、フイルターの表面から遥動スプリングや逆洗により剥離されたゴミやカスは、バッグフイルターエレメント内に圧宿固化出来る全自動逆洗機構付きのコンパクトで安価に製造できるカスパック用フイルターハウジング装置である。
【００３６】
｛発明の効果｝
以上に説明したように、本発明の構成は、フイルターエレメントの内、外周部で比較的大きなゴミやカスを分離できるセラミックフイルターや防汚フイルターについて、その表面のゴミやカスをその下方に設けたバッグフイルターエレメント内に、逆洗時にエアーにより、一般的に使用されている濾過用のバッグフイルターと同じ効果を持たせる事により、ゴミやカスを分離固化する機能を持たせたもので、一般的なバッグフイルター方式では、バッグフイルターエレメントの濾布の目ずまり防止の為に目地を荒くする必要があるが、本装置の様に、従来の標準フイルターエレメントでその濾過精度を保証し、排出されるゴミやカスは、コンパクトで安価な装置のバッグフイルターエレメントの中に固化した状態に収納でき、更にバッグフイルターエレメントから排出される濾液も再ろ過する事で、全ての濾過液精度を保証出来ることを特徴とするカスパック用フイルタハウジング装置を提供できる。
【００３７】
【図面の簡単な説明】
【図１】本発明の装置の一部破断側面図。
【図２】本発明の装置のＡ−Ａ断面平面図。
【図３】本発明の別例一部破断側面図。
【００３８】
【符号の説明】
１、上キャップ板　　　　　　　　　２８、フイルターエレメント
２、投入口バルブ　　　　　　　　　２９、フイルター中心穴
３、投入口　　　　　　　　　　　　３０、中心出し用Ｖ型板
４、フイルター上押え部　　　　　　３１、Ｖ型板取付案内穴
５、遥動スプリング　　　　　　　　３２、下Ｏリング
６、フイルター下押え　　　　　　　３３、下台
７、下台取付板固定ボルト　　　　　３４、下台中心逃し穴
８、下台取付板　　　　　　　　　　３５、バッグフイルターケース用Ｏリング
９、フイルターケース取付ボルト　　３６、外ネジ付ニップル
１０、バッグフイルター用ケース　　３７、排液バルブ
１１、ゴミカス
１２、バッグフイルターエレメント
１３、液貯留室
１４、アミ板
２０、引上ナット
２１、引上ナットパッキン
２２、エアー用バルブ
２３、排出口
２４、出口バルブ
２５、連結用ボルト
２６、上Ｏリング
２７、外ケース管
【図１】
2004050166.tif 000003
【図２】
2004050166.tif 000004
【図３】
2004050166.tif 000005